(57)【要約】【課題】脚運動用デバイスを提供する。【解決手段】各対のレール（２４，２６；３０，３２）に沿って内側および外側に往復運動するように配置されている１対のフットプレート（２０，２２）を有し、各フットプレート（２０，２２）は、運動ルーチン中装置による抵抗を大きくするために、任意の数の重り（４０，４２）に支持アーム（３０，４０）により動作可能に接続している。各フットプレート（２０，２２）の移動経路、および各アーム（３８，４０）の構成は、運動ルーチン中に行う運動の程度を大きくするために、レール（２４，２６；３０，３２）に沿ったその往復運動中、重り（４２，４４）が移動する垂直距離が、各フットプレート（２０，２２）が移動する垂直距離より長くなっている。【選択図】図２
2010063888.tif 000002
【特許請求の範囲】
【請求項１】
各支持手段上に往復運動をすることができるように配置されている１対のフットプレートを備える脚運動用デバイスであって、前記支持手段が、前記デバイスの中央部分の両側からその各側部に共通のライン上を外側に延び、前記フットプレートが、前記支持手段の延長の前記共通のラインに実質的に垂直に配置されている人間の１対の足を収容するように、また運動ルーチンの一部として、前記中央部分と前記側部との間をユーザにより往復運動することができるように配置され、各フットプレートが、さらに前記往復運動の少なくとも１回のストローク中に、ある垂直距離を通して前記重りを上昇させるように、少なくとも１つの運動用の重りに動作可能に係合するように配置される脚運動用デバイス。
【請求項２】
運動ルーチン中に加わる運動に対する抵抗を選択的に変えることができるように選択的な複数の重りを収容するように配置され、特に、前記選択的な複数の重りそれぞれが、流体で満たすことができるように配置される、請求項１に記載の脚運動用デバイス。
【請求項３】
前記重りが、流体で満たすことができるように配置される、請求項１または２に記載の脚運動用デバイス。
【請求項４】
前記フットプレートと前記運動用の重りとの間を、動作可能に接続するために剛性コネクタが設置され、前記フットプレートの外側への運動中に、前記剛性コネクタおよび関連する重りが前記デバイスの前記側部を越えて延びるようになっている、請求項１乃至３の何れかの項に記載の脚運動用デバイス。
【請求項５】
前記重りが、前記フットプレートに接続しているアームの端部のところに位置するように配置される、請求項４に記載の脚運動用デバイス。
【請求項６】
前記剛性コネクタが、その運動中に、前記デバイスの前記側部の支持面により支持されるように配置される、請求項４または５に記載の脚運動用デバイス。
【請求項７】
前記支持面が、カム面を備えるように配置される、請求項６に記載の脚運動用デバイス。
【請求項８】
前記支持面が、軸受面を備える、請求項６に記載の脚運動用デバイス。
【請求項９】
前記支持面が、前記側部内に回転自在に装着されているローラ・ホイールにより形成される、請求項６に記載の脚運動用デバイス。
【請求項１０】
前記フットプレートに対する前記側部の前記支持面の高さを変えることができるように配置される、請求項６乃至９の何れかの項に記載の脚運動用デバイス。
【請求項１１】
前記剛性コネクタが、全体的に下向きの凹部の形を有する、請求項４乃至１０の何れかの項に記載の脚運動用デバイス。
【請求項１２】
前記支持手段が、前記支持アームの下向きの凹部の形に一致するように配置することができる浅い凹部経路を形成するように配置される、請求項１１に記載の脚運動用デバイス。
【発明の詳細な説明】
【技術分野】
【０００１】
本発明は、脚運動のためのデバイスに関し、特に、ユーザの内側および外側の大腿筋を運動するための脚運動用デバイスに関する。
【背景技術】
【０００２】
特に人体の脚部を含む人体の種々の部位の強度および弾力（ｔｏｎｅ）を改善するために、種々様々な運動用デバイスが広く周知である。
【０００３】
１つのこのような周知のデバイスは、英国意匠登録３０１１７５４の主題を形成していて、フットプレート上にうつ向いて立っている状態で、ユーザが、横方向にフットプレートを往復運動させた場合に、下向きの凸状の形をしているレールが形成する湾曲部が、ユーザの体を垂直方向に上下運動させるように、共に整合している下向きの凸状のレールに沿って往復運動するように配置されている１対のフットプレートを含む特殊な構成を有している。この場合、フットプレートの横方向の運動は、ユーザ自身の体重に打ち勝って運動し、それにより特にユーザの脚部の大腿筋に作用するような働きをする。
【０００４】
この場合、ユーザが行う運動の性質および程度は、ユーザの体重だけに依存する。
【発明の概要】
【発明が解決しようとする課題】
【０００５】
本発明は、このような周知のデバイスよりさらに有利な機能を有する脚運動用デバイスを提供するためのものである。
【課題を解決するための手段】
【０００６】
本発明は、各支持手段上で往復運動するように配置されている１対のフットプレートを備える脚運動用デバイスを提供する。この支持手段は、デバイスの中央部分の各側面からその各側部に共通のライン上を外側に延びる。フットプレートは、運動ルーチンの一部として上記中央部分と上記側部との間で、ユーザが往復運動をすることができるように、支持手段の延長の上記共通のラインに実質的に垂直に配置している１対の人間の足を収容するように配置されている。各フットプレートは、さらに、上記往復運動の少なくとも１つのストローク中に、ある垂直距離を通して重りを上昇させるように、少なくとも１つの運動用の重りと動作可能に係合するように配置されている。
【０００７】
本発明は、上記少なくとも１つの運動用の重りの他に、運動ルーチン中に行う運動の程度を、ユーザの体重とは無関係に、およびデバイスの中央部分に対して、内側／外側向きのその往復運動の際に、他の方法で移動するフットプレートの任意の要件とは無関係に容易に調整することができるという点で特に有利である。
【０００８】
デバイスは、運動ルーチン中の運動に対する抵抗を選択的に変えることができるように、選択的な複数の重りを収容するように配置することができる。より詳細には、選択的な複数の各重りは、流体で充填できるように、または砂／粒子で充填できるように配置されている。
【０００９】
１つの特定の態様においては、本発明の場合には、剛性コネクタが、フットプレートと運動用の重りとの間を動作可能に接続するために設置されていて、そのため、フットプレートが外側に移動している間、剛性コネクタおよび関連する重りは、デバイスの上記側部を越えて延びることができる。
【００１０】
好ましくは、上記重りは、フットプレートに接続しているアームの端部のところに位置するように配置される。
【００１１】
ここで、上記アームは、その運動中、デバイスの側部の面により支持されるように配置される。
【００１２】
また、上記面は、カム面を備えるように配置される。
【００１３】
代替的にまたは追加的に、上記カム面は、軸受面を備えることができる。
【００１４】
より詳細には、上記面は、上記側部内に回転自在に装着されているローラ・ホイールの面により形成することができる。
【００１５】
ここで、ローラ・ホイールは、上記アームを収容するための円周方向に延びる溝部を含む。
【００１６】
そして、フットプレートに対する側部の上記支持面の高さは変えることができる。
【００１７】
フットプレートに対して上記支持面の高さを増大すると、上記重りを支持しているアームの端部をもっと長い垂直距離を通して移動させることができ、それにより運動ルーチン中に加わる抵抗をさらに大きくすることができる。
【００１８】
好ましくは、上記アームは、全体的に下向きの凹部の形を有する。
【００１９】
より詳細には、上記支持手段は、支持アームの下向きの凹状の形と一致するように配置することができる浅い凹状の経路を提供するように配置することができる。
【００２０】
本発明は、周知の脚運動用装置をうまく適用することができ、それにより運動ルーチン中に加わる抵抗を、ユーザの体の大きさおよび体重とは全然無関係に、容易に、正確に、種々に調整することができる。体重を移動することができる高さも、有利に強化することができる。
【００２１】
添付の図面を参照しながら以下に本発明についてさらに説明するが、これは単に例示としてのものに過ぎない。
【図面の簡単な説明】
【００２２】
【図１】本発明の一実施形態による脚運動用デバイスの斜視図である。
【図２】図１のデバイスの前部隆起図である。
【図３】図２類似の図面であるが、運動ルーチン中に移動したそのフットプレートを示す。
【図４】図３類似の図面であるが、デバイスの中央部分からその最も遠い位置に移動したフットプレートを示す。
【図５】本発明の他の実施形態による装置の斜視図である。
【図６】図５の装置の平面立面図であるが、重りが収容パイル内に位置している。
【図７】図６の実施形態の側面図であるが、フットプレート支持トラックが上方に折り曲げられている。
【図８】図７の実施形態の前面図である。
【発明を実施するための形態】
【００２３】
最初に図１を参照すると、この図は、本発明のある実施形態の斜視図であり、その上端部から、運動ルーチン中に、ユーザが握る１対のハンドル１６、１８を横切る方向に延びる直立状の伸縮自在の中央支持体１２、１４を有する脚運動用デバイス１０を示す。
【００２４】
デバイス１０は、さらに、それぞれがユーザの足を収容するように配置されていて、各フットプレート２０、２２が往復運動することができるように、横方向に延びる支持手段上に移動可能に装着されている１対のフットプレート２０、２２を備える。
【００２５】
フットプレート２２用の支持手段は、平行な下向きに湾曲しているレール２４、２６を備え、これらのレールは、デバイス１０の中央領域２８に接続し、この中央領域の一方の端部から中央支持体１２、１４が延びる。
【００２６】
同様に、１対の下向きに湾曲しているレール３０、３２が、中央領域２８に接続し、その上に２つのフットプレートのうちの他方２０が移動可能に装着される。
【００２７】
必要に応じて、任意の適切な軸受手段および／または面により、レール２４、２６；３０、３２にフットプレート２０、２２を移動可能に装着することができる。
【００２８】
レール２４、２６；３０、３２は、中央領域２８から共通のラインに沿って延び、この共通のラインは、各フットプレート２０、２２の長手方向の縦軸に対して実質的に垂直である。
【００２９】
デバイス１０の中央領域２８から遠い方のレール２４、２６の端部は、デバイス１０の側壁部材３４に接続し、一方、中央領域２８から遠い方のレール３０、３２の端部は、第２の側壁部材３６に装着される。
【００３０】
側壁部材３４、３６は、本発明の図の実施形態において重要な機能を行うが、また使用中、デバイス１０のしっかりした床位置に対して横方向の支持体としての働きも行う。
【００３１】
図に示すように、各レール２４、２６；３０、３２の構成と類似の構成を有する各対の外側に延びる湾曲している支持アーム３８、４０が、各フットプレート２２、２０に動作可能に接続している。
【００３２】
湾曲している各支持アーム３８、３０は、各フットプレート２２、２０に動作可能に接続し、１対の運動用の重り４２、４４の一方を収容するためのその遠方端に設置される。
【００３３】
図２を見れば、本発明のこの特定の実施形態の全詳細および構成をさらによく理解することができるだろう。それにより、各フットプレート２０、２２が、その内側向けのストロークの端部に位置している場合には、各運動用の重り４２、４４が、各側壁部材３４、３６に隣接して位置することを理解することができるだろう。
【００３４】
また、デバイス１０の中央部分２８は、１対の足４８、５０およびデバイス１０の床装着安定性をさらに改善するためのその各端部を有する横方向の支持アーム４６を備える前端部を含む。
【００３５】
図３および図４を参照しながら、デバイス１０の使用方法について以下に説明する。
【００３６】
すでに説明したように、フットプレート２０、２２は、運動ルーチン中に、デバイス１０の中央部分２８と側壁部材３４、３６との間で往復運動することができるように配置される。
【００３７】
下方に湾曲しているトラック２４、２６；３０、３２を使用することにより、フットプレート２０、２２の外側および内側に往復運動をしている脚部の筋肉が、ユーザの体重に逆らって運動するように、ユーザの体は反復して上下運動を行う。
【００３８】
図３の場合には、フットプレート２０、２２の外側への移動は、矢印Ａで示してある。また、各重り４２、４４への湾曲したアーム３８、４０による剛性接続により、これらの重り４２、４４は、同様に、矢印Ｂで示す湾曲経路に沿って移動する。
【００３９】
しかし、アーム３８、４０の長さおよび構成のために、矢印Ｂの各方向により示すように、矢印Ａの方向にフットプレート２０、２２の外側へのストローク中に、重り４２、４４が移動した垂直方向の距離は、実際には、フットプレート２０、２２が移動した垂直方向の距離より遥かに長い。
【００４０】
これにより、運動ルーチン中にユーザの脚部が行った運動量が増大し、改善する。
【００４１】
上記実施形態の場合には、各側壁部材３４、３６は、往復運動中アーム３８、４０の安定した移動を容易にするために、ローラ・ホイールおよび案内溝を備える。
【００４２】
図面にはっきりと示す本発明の特に有利な機能によれば、フットプレート２０、２２のそれに対する、側壁部材の面と任意の関連するローラ・ホイールとの間の垂直距離は、各重り４２、４４が矢印Ｂの方向に移動する垂直距離の長さを同様に変えるために、変えることができる。すなわち、上記支持面／側壁部材３４、３６のローラ・ホイールおよびフットプレート２０、２２間の垂直距離を増大することにより、フットプレートが側壁部材３４、３６に近づいた場合に、フットプレート２０、２２からアーム３８、４０が延びる角度が増大し、それにより、気が付いたと思うが、重り４２、４４の垂直方向の移動距離が増大する。
【００４３】
これに関連して、各アーム３８、４０は、各フットプレート２２、２０に旋回自在に装着することができ、側壁部材２４、３６の高さを必要に応じて容易に調整することができる。
【００４４】
ここで図５を参照すると、この図は、本発明の他の実施形態による装置の斜視図である。
【００４５】
運動装置５２は、この場合も、フレーム状の構造をしている。全体的な構成が、上記実施形態に類似していることを理解することができるだろう。それ故、すべての機能については特に説明しない。
【００４６】
各対の下方に弓形に湾曲している支持アーム５４、５６は、その上に複数の各浅い重りブロック６２および６４が積み重ねられる各重り支持プレート５８、６０に延びる。
【００４７】
各支持プレート５８、６０に、実際にはその隣接するブロックに重りブロック６２、６４を確実に装着することができるように、係合構造を設置することができる。支持プレート５８、６０、実際にはその重りブロック６２、６４の外側の寸法は、フットプレートのそれと同じではないにしても、ほぼ類似している。
【００４８】
装置５２の中央領域２８も、その上に運動ルーチンの際に現在使用しなくてもよい重り６６を収容することができる固定重り支持プレート５８を提供する。
【００４９】
重りブロック６２、６４、６６は、それぞれ、一緒にした場合、所望の絶対重量となるような所定の重量のものであってもよい。さらに、このような各重りブロック６２、６４、６６は、中実のものであっても、必要な重量となるように、その中に流体および／または砂のような粒子状の物質を入れるために、実際に中空のものであってもよい。
【００５０】
ここで図６を参照すると、この図は、図５の側面に対向する側面から見た斜視図であり、すべての重りは、固定支持プレート６８上の中央収容パイル６６内に位置している（図５参照）。
【００５１】
重り支持プレート５８および６０とフットプレートとの間の寸法はほぼ同じであり、支持プレート５８、６０とのキーによる係合のための類似の寸法の全凹部を有する重りブロック６６により、重りブロックと確実に係合するように、各重り支持プレート５８、６０上に各インデント７０、７２が設けられる。
【００５２】
本発明のこの他の実施形態の他の有利な特徴は、容易に効率的に収容することができるように、容易に折り曲げることができることである。
【００５３】
すなわち、図７を参照すると、この図は、すべての重りブロックが１つの収納パイル６６内に位置している図６の装置の側面図である。この図は、またほぼ水平位置とほぼ垂直位置との間で装置の各側部足支持領域が旋回運動をすることができるようにする旋回自在に装着されている支持ロッド６４によるフットプレート支持レールの接続を示す。
【００５４】
図７の場合には、および実際に図８を参照した場合には、支持レールを備える支持部分は、図７および図８を見れば分かるように、容易に収納できるように、ほぼ垂直位置に上方に折り曲げられている。
【００５５】
もちろん、本発明は、上記実施形態の詳細に限定されないことを理解されたい。
【００５６】
より詳細には、必要な場合には、図５〜図８の他の実施形態に示す種々の機能を、前の実施形態に容易に組み込むこともできるし、その逆も行うことができる。
【００５７】
図示していないが、アーム３８、４０の端部は、選択的な方法でおよび各アーム３８、４０の端部のところに位置する重りを容易に変えることができるように、それに対して運動ルーチン中にユーザが運動することができるように、増大する数の運動用の重りを収容するように配置することができる。重りは中実のものであってもよく、必要な場合には、流体で満たすことができるように配置することもできる。
【００５８】
重りは、ユーザが係合することができるように任意の適切な機構および支持装置により、フットプレートに動作可能に、またフットプレートを支持することができるように接続することができる。
【図１】
2010063888.tif 000003
【図２】
2010063888.tif 000004
【図３】
2010063888.tif 000005
【図４】
2010063888.tif 000006
【図５】
2010063888.tif 000007
【図６】
2010063888.tif 000008
【図７】
2010063888.tif 000009
【図８】
2010063888.tif 000010
【外国語明細書】
2010063888000001.pdf
2010063888000002.pdf
2010063888000003.pdf
2010063888000004.pdf